(57)【要約】【課題】いったん吸着した香気成分の保持を維持しつつ、所定の条件下において簡単に香気成分を放散することができる香気吸着放散剤を提供する。【解決手段】香気成分を吸着する香気吸着放散剤は、天然デンプンを酵素分解し分子量分散度（重量平均分子量／数平均分子量）を１００〜１６００とし、かつ、デキストロース当量（ＤＥ）を０．５〜１０．０としたデンプン部分分解物を得る処理、または天然デンプンを糊化しこれに超音波を照射して微分散化した微分散デンプンを得る処理によって低分子量化した低分子量化デンプンを主成分として含有する。【選択図】なし【特許請求の範囲】
【請求項１】
香気成分を吸着するとともに放散する吸着放散剤であって、
前記吸着放散剤は、天然デンプンを酵素処理または超音波照射処理によって低分子量化した低分子量化デンプンを主成分として含有することを特徴とする香気吸着放散剤。
【請求項２】
前記酵素処理が、前記天然デンプンを酵素により分解することによって分子量分散度（重量平均分子量／数平均分子量）を１００〜１６００とし、かつ、デキストロース当量（ＤＥ）を０．５〜１０．０としたデンプン部分分解物を得る処理であり、前記低分子量化デンプンが前記デンプン部分分解物である請求項１に記載の香気吸着放散剤。
【請求項３】
前記超音波照射処理が、前記天然デンプンを糊化してデンプン糊化液とし、前記デンプン糊化液に超音波を照射して微分散化した微分散デンプンを得る処理であり、前記低分子量化デンプンが前記微分散デンプンである請求項１に記載の香気吸着放散剤。
【請求項４】
前記低分子量化デンプンが乾燥粉末である請求項１ないし３のいずれか１項に記載の香気吸着放散剤。
【請求項５】
前記香気成分が親油性化合物である請求項１ないし４のいずれか１項に記載の香気吸着放散剤。
【請求項６】
前記吸着放散剤における前記香気成分の放散が、前記低分子量化デンプンの吸湿または加温により行われる請求項１ないし５のいずれか１項に記載の香気吸着放散剤。
【発明の詳細な説明】
【技術分野】
【０００１】
本発明は、香気吸着放散剤に関し、特にデンプンの分子量を適度に小さくして吸着及び放散の性能を高めた香気吸着放散剤に関する。
【背景技術】
【０００２】
デンプンを適度に加水分解して得られるデンプン分解物は、直鎖構造や分枝構造を有する糖鎖であり、デキストリン、マルトデキストリン、マルトオリゴ糖等と呼ばれる。これらデキストリン類のデンプン分解物は、食品の粘性付与剤、結着剤、噴霧乾燥用の基材等の用途に加え、化粧品、たばこ、入浴剤、整髪料等の香気成分の保持剤としても利用されている。前記の各種製品に含まれる香気は、香りに由来する快適な感覚を高めることに加え、心身のリラックス効果やストレスの低減効果に代表される副次的な効果も知られている。しかし、香気成分が空気中に放散されることにより、香りが生じる。このことは、経時的な香気の減少を意味する。そのため、香気成分の安定化の向上が検討されてきた。
【０００３】
特に香気成分の保持剤の分野にあっては、環状化した糖鎖であるシクロデキストリン（サイクロデキストリン）が比較的広汎に使用されている。シクロデキストリンの環内は疎水的部位であるため、メントール、リモネン等の親油性の香気成分の包摂に都合良い。それゆえ、例えば、分岐αシクロデキストリンを用いたたばこ製品の香味の付加の用途が提案されている（特許文献１等参照）。ところが、シクロデキストリンによる包摂は安定しているため、かえって香気成分の放散が上手く進まない問題も指摘されている。そのことから、シクロデキストリンは、香気成分の放散が求められない消臭剤等の用途に多く使用されるようになった。
【０００４】
香気成分の保持剤として必要とされる能力は、香気成分を効率良く吸着すること、そして、いったん吸着した香気成分を必要により容易に放散することである。このように相反する要求に対処するべく、香気保持剤の改良が進められてきた。そこで、前述のデンプンの適度な加水分解物（特許文献２等参照）、さらには各種糖類による多糖類（特許文献３等参照）の利用も提案されている。特許文献２の手法によると、香味油脂をデンプン加水分解物に吸着した後、さらにプルランにより被覆する方法である。このため、各種工程に必要な設備負担が大きくなる。特許文献３では、多糖類のゲル状物中に香料を添加し、これをシート状に加工している。この方法によると、香気は保持されるものの放散性が低くなるため、香気成分を多量に含ませることが必要であると考えられる。
【０００５】
引用文献２，３等に開示の成分のよる作用機構については、おそらく、デンプン加水分解物または多糖類分子の螺旋状の糖鎖内または糖鎖同士の間に形成された疎水性部位に、同じく疎水性（親油性）の性質を有する香気成分がはまり込むこと等が考えられる。このように、香気保持剤の改良は進められているものの、現状において必ずしも満足できる性能とはいえず、さらなる改良が望まれていた。すなわち、香気成分を吸着してその保持をしつつ、所定の契機に起因して簡単に放散できる点がより重視されている。
【先行技術文献】
【特許文献】
【０００６】
【特許文献１】特許第３９２７６４３号公報
【特許文献２】特開平８−４７３７８号公報
【特許文献３】特開２０１３−９９３４６号公報
【発明の概要】
【発明が解決しようとする課題】
【０００７】
当初、発明者はデンプンの低分子量化の方法、条件、そして用途について鋭意検討していた。すると、デンプン処理の条件を調整しているうちに、香気成分の保持と放散に適したデンプンの処理物を見出した。
【０００８】
本発明は前記の点に鑑みなされたものであり、デンプンの適切な低分子量化を図ることによって、いったん吸着した香気成分の保持を維持しつつ、所定の条件下において簡単に香気成分を放散することができる香気吸着放散剤を提供する。
【課題を解決するための手段】
【０００９】
すなわち、請求項１の発明は、香気成分を吸着するとともに放散する吸着放散剤であって、前記吸着放散剤は、天然デンプンを酵素処理または超音波照射処理によって低分子量化した低分子量化デンプンを主成分として含有することを特徴とする香気吸着放散剤に係る。
【００１０】
請求項２の発明は、前記酵素処理が、前記天然デンプンを酵素により分解することによって分子量分散度（重量平均分子量／数平均分子量）を１００〜１６００とし、かつ、デキストロース当量（ＤＥ）を０．５〜１０．０としたデンプン部分分解物を得る処理であり、前記低分子量化デンプンが前記デンプン部分分解物である請求項１に記載の香気吸着放散剤に係る。
【００１１】
請求項３の発明は、前記超音波照射処理が、前記天然デンプンを糊化してデンプン糊化液とし、前記デンプン糊化液に超音波を照射して微分散化した微分散デンプンを得る処理であり、前記低分子量化デンプンが前記微分散デンプンである請求項１に記載の香気吸着放散剤に係る。
【００１２】
請求項４の発明は、前記低分子量化デンプンが乾燥粉末である請求項１ないし３のいずれか１項に記載の香気吸着放散剤に係る。
【００１３】
請求項５の発明は、前記香気成分が親油性化合物である請求項１ないし４のいずれか１項に記載の香気吸着放散剤に係る。
【００１４】
請求項６の発明は、前記吸着放散剤における前記香気成分の放散が、前記低分子量化デンプンの吸湿または加温により行われる請求項１ないし５のいずれか１項に記載の香気吸着放散剤に係る。
【発明の効果】
【００１５】
請求項１の発明に係る香気吸着放散剤によると、香気成分を吸着するとともに放散する吸着放散剤であって、前記吸着放散剤は、天然デンプンを酵素処理または超音波照射処理によって低分子量化した低分子量化デンプンを主成分として含有するため、いったん吸着した香気成分の保持を維持しつつ、所定の条件下において簡単に香気成分を放散する香気吸着放散剤を得ることができた。また、天然デンプン自体が原料であることから、極めて安全性は高い。
【００１６】
請求項２の発明に係る香気吸着放散剤によると、請求項１の発明において、前記酵素処理が、前記天然デンプンを酵素により分解することによって分子量分散度（重量平均分子量／数平均分子量）を１００〜１６００とし、かつ、デキストロース当量（ＤＥ）を０．５〜１０．０としたデンプン部分分解物を得る処理であり、前記低分子量化デンプンが前記デンプン部分分解物であるため、比較的穏和な条件下で反応を制御することができる。また、デキストロース当量とともに分子量分散度の指標も組み合わせにより出来上がるデンプン部分分解物の大きさのばらつきの把握が容易となり、香気成分の吸着・放散の性能を安定化、品質向上に役立てることができる。
【００１７】
請求項３の発明に係る香気吸着放散剤によると、請求項１の発明において、前記超音波照射処理が、前記天然デンプンを糊化してデンプン糊化液とし、前記デンプン糊化液に超音波を照射して微分散化した微分散デンプンを得る処理であり、前記低分子量化デンプンが前記微分散デンプンであるため、低分子量化の進行は比較的温和である。また、照射の開始と停止の切り換えは機器の通電操作により行われるため、低分子量化の処理の継続、打ち切りは酵素分解よりも簡単である。そのため、適時試料を採取しながら所望の時点で処理を止めることができる。
【００１８】
請求項４の発明に係る香気吸着放散剤によると、請求項１ないし３のいずれかの発明において、前記低分子量化デンプンが乾燥粉末であるため、防腐や保存に加え、取り扱い易さ等の利便性が格段に向上する。
【００１９】
請求項５の発明に係る香気吸着放散剤によると、請求項１ないし４のいずれかの発明において、前記香気成分が親油性化合物であるため、良好な香気と認識され、空気中への放散性が良い。
【００２０】
請求項６の発明に係る香気吸着放散剤によると、請求項１ないし５のいずれかの発明において、前記吸着放散剤における前記香気成分の放散が、前記低分子量化デンプンの吸湿または加温により行われるため、簡便な方法により香気成分の放散が始まるため、利便性は高い。
【発明を実施するための形態】
【００２１】
本発明は、天然デンプンに由来する吸着放散剤を主成分として含有する香気吸着放散剤である。香気吸着放散剤は、主に、食品、化粧品、たばこ、日用雑貨品等の各種物品の香り付けの用途に用いられる。香気吸着放散剤の主成分である吸着放散剤は、香気成分を吸着するとともに使用時等において香気成分を放散（放出、拡散）する成分である。
【００２２】
天然デンプンは、化工デンプン等の特段の化学的等の処理を受けておらず、安価かつ容易に原料調達が可能なデンプンである。従って、ヒトが食糧として常食する作物から収穫されるデンプンそのものである。天然デンプン自体が原料であることから、極めて安全性は高い。天然デンプンについては後述する。
【００２３】
吸着及び放散の対象となる香気成分は、芳香成分とも称され、植物等の天然物から抽出した成分、合成香料等であり、単一の有機分子、あるいは調合された複数の有機分子のいずれでも良い。このような香気成分は、請求項５の発明に規定するように、親油性化合物を主成分とする。具体的には、メントール、バニリン、リモネン、ジャスモン酸メチル、リナロール、酢酸リナリル、ゲラニオール、酢酸ベンジル、パチョロール、エレミシン、オイゲノール、ペンタン酸（吉草酸）等をはじめとする種々の有機分子である。これらの有機分子同士、さらにはその他の成分を含有してなる精油等である。例示の有機分子や精油は比較的良好な香気と認識され、空気中への放散性が良い。
【００２４】
吸着放散剤は、天然デンプンを酵素処理または超音波照射処理により低分子量化して誘導された低分子量化デンプンである。通常天然デンプンは、α−Ｄ−グルコピラノース（以下、Ｄ−グルコースとする。）がα−１，４結合により直鎖状につながったアミロースと、Ｄ−グルコースがα−１，４結合による直鎖部分とα−１，６結合による分枝部分を有するアミロペクチンからなる。適宜デンプンの分解が進行することに伴い、様々な鎖長の分子量の異なるデキストリン類が生成される。
【００２５】
背景技術に開示したシクロデキストリンのみならず、デンプン自体もある程度の親油性（疎水性）を有していると考えられている。また、デンプンの糖鎖が螺旋状となっている部位の内部もシクロデキストリンと同様に親油性環境であると予想されている。そのため、デンプン部分分解物の螺旋状の糖鎖内に前掲の香気成分の有機分子が入り込むと考えられる。しかし、天然デンプンそのものの場合、分子が長大であるため分子の自由度が少ない。そのことから、香気成分の分子は螺旋状の糖鎖内に取り込まれ、また放散されにくい。さらに、天然デンプンからの分解が進みすぎた場合、糖鎖は短くなるため適度な螺旋状の疎水的構造が形成されず、所望の香気成分の吸着性能に劣る。
【００２６】
このように、香気成分の吸着・放散の性能に着目すると、デンプンはその分子量の大きさいかんにより性能に大きな変化が生じるといえる。そうすると、当初の天然デンプンから、ちょうど良い程度を見極めて低分子量化を進めることによって、香気成分の吸着、放散の均整のとれた低分子量化デンプンを得ることが予想される。このような低分子量化デンプンは、鎖長内に香気成分を吸着可能な疎水性領域を形成するとともに、当初の天然デンプンよりも構造変化の自由度が高まるため、いったん吸着した香気成分の放散も可能であると考えられる。これより、デンプンの低分子量化のために必要な処理について説明する。
【００２７】
はじめに酵素処理について説明する。請求項２の発明に規定するように、低分子量化デンプンは、天然デンプンを酵素により分解されるものの単糖やオリゴ糖にまで分解されるのではなく、比較的糖鎖の鎖長を残存させたデンプン部分分解物に留められる。特に、低分子量化デンプンは、原料となるデンプンを分子量分散度及びデキストロース当量を適切に制御して得たデンプン部分分解物である。
【００２８】
天然デンプンの酵素処理によると、比較的穏和な水素イオン濃度域での反応が可能であり、その取り扱いは比較的安全である。また、使用する酵素に応じて至適温度（最適温度）、至適ｐＨ（最適ｐＨ）を制御することにより容易に反応系を制御することができる。つまり、デンプンの分解状況に合わせて加温や加熱等を行い、酵素を失活させることによって適切な時点で反応停止とすることができる。
【００２９】
デンプンの分解に用いる酵素としては、デンプンのα−１，４結合を加水分解可能な酵素であればいずれでも良く、α−アミラーゼ［１，４−α−Ｄ−ｇｌｕｃａｎ  ｇｌｕｃａｎｏｈｙｄｒｏｌａｓｅ（ＥＣ  ３．２．１．１）］等の種々の加水分解酵素が用いられる。これらの酵素の多くは、Ａｓｐｅｒｇｉｌｌｕｓ属、Ｂａｃｉｌｌｕｓ属等に由来する。むろん、速度反応論の見知から、反応性を高めるため至適温度は高いほど望ましい。従って、至適温度を７０ないし９０℃とする同属の好熱菌等由来のα-アミラーゼであるほど好ましい。
【００３０】
当初のデンプンからデンプン部分分解物に至る間の分解の進行度はデキストロース当量（Ｄｅｘｔｒｏｓｅ  Ｅｑｕｉｖａｌｅｎｔ：以下、ＤＥとする。）を指標に用いて評価することができる。未分解ならばＤＥ＝０であり、完全にデキストロース（グルコース）まで分解されたならばＤＥ＝１００と示される。本発明においても、１つの指標としてデキストロース当量（本発明はベルトラン法に基づく。）を用いることにより、デンプンの分解促進状況を把握することができる。後述の実施例から自明なように、その数値を０．５〜１０．０とし、比較的軽度の分解に抑制していることが必須となる。
【００３１】
デキストロース当量が０．５を下回る場合、ほとんど酵素分解が行われていないことであり、目的に沿わない。また、１０を上回る場合、酵素分解が進みすぎであり、所望の鎖長のデンプン部分分解物が減少していると考えられる。それゆえ、前記の範囲が好ましいといえる。
【００３２】
ただし、前記のデキストロース当量のみの評価では、分解生成物の分解の程度をおおまかに把握しているに過ぎない。天然デンプンの酵素分解に際し、使用する酵素のひとつであるα-アミラーゼはｅｎｄｏ型であるため、ランダムな酵素分解により生じたデンプン部分分解物の大きさ（糖鎖長）には不可避的にばらつきが存在する。つまり、分子量分布に広がりが生じる。極端に低分子量域のデンプン部分分解物は、前述のとおり香気成分の吸着に寄与しない。そのことから、出来上がるデンプン部分分解物において低分子量域の成分は少ないほどよいといえる。そこで、出来上がるデンプン部分分解物の大きさのばらつきの程度を把握することにより、香気成分の吸着・放散の性能を安定化し、品質を高めることができる。そこで、デキストロース当量とともに分子量分散度の指標も組み合わせて、よりデンプン部分分解物の正確な態様を規定することとした。
【００３３】
デンプン等の天然高分子化合物や樹脂高分子化合物の性質を把握するに際し、平均分子量が広く用いられる。この平均分子量は、数平均分子量（Ｍn）、重量平均分子量（Ｍw）、Ｚ平均分子量（Ｍz）等が一般に用いられる。数平均分子量（Ｍn）は分子の構成を単純に数で平均化した指標である。重量平均分子量（Ｍw）は、各分子の数に分子量を乗じた後に平均を求めた指標である。重量平均分子量は構成する分子の大きさの影響を鋭敏に受ける。このため、数平均分子量では反映され難いようなごく少量の大分子の影響も平均分子量の値として考慮に入れることができる。さらに、Ｚ平均分子量は前記の重量平均分子量よりも大分子の影響を受ける。
【００３４】
当初、デキストロース当量と数平均分子量により、デンプン部分分解物の構成の把握を試みていた。しかし、前述のとおり、香気成分の吸着にはある程度の高分子量成分の存在が必須である。数平均分子量のみの評価では、デンプン部分分解物中に存在する大分子の影響が減殺される。また、数平均分子量は、デキストロース当量とほぼ逆相関の関係が成立する重複した指標であり、これのみでは正確さに欠けることが明らかとなった。次に、重量平均分子量の採否を検討したところ、同指標のみでは数値が大きく試料同士の差異の把握は難しかった。Ｚ平均分子量も重量平均分子量の場合と同様である。
【００３５】
このような経緯を踏まえ、香気成分の吸着に有効な、デンプン部分分解物中に存在する大分子（鎖長の長い分子）の影響及び各々の分子量を有する分子の分布の仕方をより重視する必要がある。よって、本発明においては、分子量分布の評価に当たり、｛重量平均分子量（Ｍw）／数平均分子量（Ｍn）｝として示される「分子量分散度」を採用し、これをデキストロース当量（ＤＥ）と併用することにより解決を図った。なお、｛Ｚ平均分子量（Ｍz）／数平均分子量（Ｍn）｝として示される「分散度」を検討したものの、数値範囲の広がり方が大きく判断精度がやや劣る。
【００３６】
そこで、香気成分の吸着並びに放散性能の良否を考慮して、好適な分子量分散度｛重量平均分子量（Ｍw）／数平均分子量（Ｍn）｝は１００〜１６００の範囲となる。当該分子量分散度の範囲は、効果を発揮した実施例の下限、上限から導いた。なお、分子量分散度が１６００を超過すると分子量の分散が多く、性能低下が問題となる。分子量分散度は小さい値であるほど望ましいとも考えられる。しかし、後記の実施例のように、重量平均分子量（Ｍw）と数平均分子量（Ｍn）の相互の均衡により定まることから、概ね１００を下限とすることが望ましい。
【００３７】
デンプン部分分解物を得るに際し、天然デンプンは、前掲のデキストロース当量及び分子量分散度の両指標が同時に満たされる時点まで、酵素的に部分分解される。酵素的分解の場合、両指標が同時に満たされたならば、速やかにデンプン部分分解物は加熱され、酵素の失活が行われる。こうして、最適な数値からの乖離が抑えられ、所望のデキストロース当量及び分子量分散度に規定される。
【００３８】
酵素分解終了時の分解産物は水溶液の状態である。そこで、請求項４の発明に規定するように、当該溶液に対して乾燥が行われ、低分子量化デンプンの乾燥粉末として得ることができる。乾燥することにより、防腐や保存に加え、取り扱い易さ等の利便性が格段に向上する。乾燥方法には、適宜の公知手法が用いられ、凍結乾燥、真空ドラムドライヤによる乾燥、噴霧乾燥（スプレードライ）等が用いられる。デンプン部分分解物は、呈味や風味維持が所望されておらず、むしろ無味無臭であるほど好ましいため、量産性に優れた噴霧乾燥が用いられる。
【００３９】
続いて超音波照射処理について説明する。請求項３の発明に規定するように、天然デンプンに超音波を照射することによって、当初のデンプンの糖鎖に物理的なエネルギーを加え微分散デンプンを得る処理である。そこで、天然デンプンは、いったん水等の水分に分散後、加熱等により適度にデンプン結晶中に水分子の入り込んだ状態となる。すなわち糊化によりゲル化され、まずデンプン糊化液が得られる。
【００４０】
次に、デンプン糊化液に対して超音波が照射される。超音波がデンプンに及ぼす影響については、現時点では完全に解明されてはいない。超音波の物理的なエネルギーが加わることにより、複数の天然デンプン分子の糖鎖同士の絡み合いが適度に解消されて、微分散化が促進すると考えられている。天然デンプンは超音波照射により適度に微分散化されることにより、当初の糖鎖の鎖長が短くなる他、デンプン結晶中の糖鎖同士の塊が小さくなることが予想される。従って、超音波照射により生じた微分散デンプンが低分子量デンプンに相当する。
【００４１】
超音波照射では、物理的な衝撃をデンプンの糖鎖に加えるのみである。このため、前述の酵素の加水分解と異なり、デンプンの糖鎖の分解、低分子量化の進行は比較的温和である。また、照射の開始と停止の切り換えは機器の通電操作により行われるため、低分子量化の処理の継続、打ち切りは酵素分解よりも簡単である。そのため、適時試料を採取しながら所望の時点で処理を止めることができる。なお、デンプンに対し同様の効果が得られるのであれば他の物理的処理方法を用いてもかまわない。しかし、超音波照射は前述のように、所望する処理の程度への調製が容易であるため、より好適である。
【００４２】
デンプン糊化液の粘度は、デンプンの種類、設備面等より好適に勘案される。たいてい、デンプンは０．２〜４０Ｐａ・ｓの粘度範囲内に調製される。特に、工程間の流動性等が考慮されるため、デンプンは０．２〜４Ｐａ・ｓの粘度範囲内に調製されることが好ましい。照射する超音波は、２０ｋＨｚ〜１ＭＨｚの一般的な周波数であり、超音波発振器の出力も１００〜２０００Ｗの適宜である。周波数や出力は、照射対象となるデンプンの種類、濃度、糊化の性状、並びに所望する最終的な粘度等により総合的に規定される。
【００４３】
超音波の照射方法は適宜ではあり、例えば、公知の超音波振動子、超音波発振器等が用いられる。超音波照射に用いる処理槽、超音波振動子、超音波発振器等は、生産規模や処理能力等を勘案して適切に選択される。デンプン糊化物に対する超音波照射は、逐次回分式あるいは連続式のいずれであっても良い。
【００４４】
超音波照射を通じて得た微分散デンプン（低分子量デンプン）は、水と混合された状態である。そこで、請求項４の発明に規定するように、乾燥されて乾燥粉末とされる。乾燥に際しては、凍結乾燥、真空ドラムドライヤによる乾燥、噴霧乾燥（スプレードライ）等が用いられる。乾燥することにより、防腐や保存、取り扱いやすさ等の利便性が向上する。微分散デンプンは、呈味や風味維持が所望されておらず、むしろ無味無臭であるほど好ましいため、量産性に優れた噴霧乾燥が用いられる。
【００４５】
これまでに述べた吸着放散剤の原料となる天然デンプンは、トウモロコシ、コムギ、オオムギ、ライムギ、コメ、ジャガイモ（馬鈴薯デンプン）、サツマイモ（甘藷デンプン）、エンドウ、緑豆、タピオカ等の各種植物に由来する。これらの植物の天然デンプンは、その種類により粳（うるち）種デンプンまたは糯（もち）種デンプンを含む。各処理と好ましいデンプンの種類についてさらに説明する。
【００４６】
天然デンプンを酵素処理して得るデンプン部分分解物については、後記実施例に示すように、糯種トウモロコシデンプン（ワキシーコーンスターチ）、馬鈴薯デンプン、甘藷デンプンのように広い種類のデンプンを使用することができる。これらの中でも、馬鈴薯デンプンと甘藷デンプンは、香気成分の吸着と放散の性能が良好である。そこで、デンプンの種類から得られた酵素分解反応の特性であるデキストロース当量及び数平均分子量の指標と、香気成分の放散の性能が重ねられる。この結果、前述のデキストロース当量及び数平均分子量の範囲値が規定される。また、当該両指標の範囲値に収斂するようにデンプンを酵素により加水分解すれば、工程管理も容易であり、良好な香気成分の吸着と放散の性能を担保することが可能とも考えることができる。
【００４７】
なお、天然デンプンについて、糯種（ワキシーコーンスターチ）と粳種（馬鈴薯デンプン）との間でデキストロース当量及び数平均分子量に差異が生じた原因については、おそらくデンプン内の糖鎖の分岐構造によると考えられる。糯種のデンプンにはα−アミラーゼでは分解できない糖の結合が多く分解の指標であるデキストロース当量は低くなったといえる。
【００４８】
天然デンプンに超音波照射して得る微分散デンプンについても、広汎な種類のデンプンの使用が考えられる。ただし、酵素分解とは低分子量化の態様が異なることから、むしろ糯種のデンプンがより好ましく使用される。デンプン種の相違の原因は、現時点では不明である。おそらく、分岐状の糖鎖の塊状物が適度の温存されていることが考えられる。
【００４９】
前述のデンプン部分分解物または微分散デンプンは、作業の簡便さから通常１種類の天然デンプンについてそれぞれ酵素分解または超音波照射される。これに加えて、異なる種類の天然デンプンを別々に処理し、生じたデンプン部分分解物同士または微分散デンプン同士を事後的に所望の割合で混合して調製することもできる。例えば、天然デンプンの酵素分解に当たり、単一種類の天然デンプンを異なる分子量分散度毎に調製して事後混合する方法や、複数種類の天然デンプンを異なる分子量分散度毎に調製して事後混合する方法等、適宜に選択できる。もしくは、原料デンプンの超音波照射に当たり、単一種類のデンプンを異なる照射量毎に調製して事後混合する方法や、複数種類のデンプンを異なる照射量毎に調製して事後混合する方法等、適宜に選択できる。
【００５０】
このように事後的に調製する理由とは、例えば、天然デンプンを調達するに当たり、原料の収穫地、収穫時期、収穫年等の環境要因により、品質に変動が生ずる場合がある。そこで、事後的にそれぞれの処理により得た低分子量化デンプン同士を混ぜ合わせることにより、品質を安定させることができる。
【００５１】
また他に、低分子量化デンプンを得ることについては、酸処理や酸化処理、アルカリ処理等の化学的な処理でも可能である。これらの方法によっても、前記の酵素処理または超音波処理（物理的処理）と同程度に低分子量化することで同様の効果は生じるとも考えられる。しかし、化学的処理方法に使用する酸やアルカリ、酸化剤、その他の化合物が低分子量化デンプンに残存した場合、それら成分に由来する臭気等によって、本来保護すべき香気成分の効果の減衰や香気成分の酸化等の作用からの成分の変質等、好ましくない影響が考えられる。これに対し、酸処理等に必要となる各種化合物を使用しない酵素処理または物理処理（超音波照射処理）にあっては、そのような成分変質の懸念はなく、より好適である。
【００５２】
そして、前記の香気成分は低分子量化デンプン（デンプン部分分解物または微分散デンプン）を主成分として含有する吸着放散剤に吸着される。香気成分の吸着に際し、吸着放散剤に液状の香気成分（親油性化合物、精油等）が滴下、混合される。混合量は香気成分の香気の強度に依存する。また、香気の好みや添加目的の製品における個々の香気の均整からも添加量は調整される。もともと天然デンプンに由来するため、香気成分の吸収性能は良好である。
【００５３】
いったん香気成分を吸着した吸着放散剤から香気成分を放散させる場合、請求項６の発明に規定するように、低分子量化デンプン（デンプン部分分解物、微分散デンプン）は吸湿または加温される。吸湿においては、低分子量化デンプン内の糖鎖に水分子が接触して糖鎖の構造が生じる、螺旋状もしくは塊状の糖鎖同士の間に入り込んだ香気成分の有機分子が脱離しやすくなると考えられる。加温においては、香気成分の有機分子が熱により揮発するためである。このように、簡便な方法により香気成分の放散が始まるため、利便性は高い。
【００５４】
香気成分の放散に際し、通常、吸湿と加温は同時に行われる。自明ながら、吸湿では吸着放散剤の低分子量化デンプンが水潤するほどの水分量とすることは避けられる。そのため、概ね空気中の水分の吸湿程度で足りる。また、加温についても室温と同等もしくは室温よりも多少高め、あるいは体温ないし４０℃前後に温めることで十分である。
【００５５】
香気成分を吸着した吸着放散剤は、乾燥時の形態である粉末状の他に、塗布膜やフィルム状に加工することができる。また、適度な粒径の顆粒状にも加工することができる。これは、本発明の香気吸着放散剤はデンプンを原料としており加工が容易だからである。そこで添加対象等に応じて柔軟に形態、形状を変えることができる。
【実施例】
【００５６】
［デンプン部分分解物の調製］
天然デンプンの酵素処理に際し、市販のワキシーコーンスターチ（実施例１）、馬鈴薯デンプン（実施例２）、甘藷デンプン（実施例３）を用意した。
【００５７】
〈分析機器〉
数平均分子量（Ｍn）、重量平均分子量（Ｍw）、及び分子量分散度（Ｍw／Ｍn）の測定に際し、ＨＰＬＣによるゲル濾過クロマトグラフ法を採用した。ＨＰＬＣの示差屈折検出器は株式会社島津製作所製：ＲＩＤ−１０Ａ、ポンプは株式会社島津製作所製：ＬＣ−１０ＡＤｖｐ、カラムオーブンは株式会社島津製作所製：ＣＴＯ−１０ＡＳｖｐ、カラムは昭和電工株式会社製：ＫＳ−８０４（８×３００ｍｍ）を使用した。
【００５８】
実施例１，２，３の酵素処理後の試料（後記）について、１ｗ％（ｗ／ｖ）の濃度（重量パーセント濃度）に純水に希釈して溶解し、０．４５μｍのメンブレンフィルターを用いて濾過後、前記のＨＰＬＣに装填して計測した。キャリアには純水を用い、流速１．０ｍＬ／分、カラム温度８０℃とした。分子量標準物質として昭和電工株式会社製：ＳＨＯＤＥＸ  ＳＴＡＮＤＡＲＤ  Ｐ−８２（プルラン；重量平均分子量７８７０００，１９４０００，４６７００，５９００）を用いた。分析により得られた分子量分布のデータは、システムインスツルメンツ株式会社製のクロマトグラム分析ソフトウエアＳＩＣ４８０データステーションを用い解析し、分子量分散度（Ｍw／Ｍn）等を算出した。
【００５９】
〈デキストロース当量〉
デキストロース当量（ＤＥ）は還元糖の定量法として一般的であるベルトラン法に従った。同法に基づいて実施例並びに比較例のデンプン部分分解物のデキストロース当量を測定した。
【００６０】
〈天然デンプンの酵素処理〉
ワキシーコーンスターチ（実施例１）、馬鈴薯デンプン（実施例２）、甘藷デンプン（実施例３）に対し、耐熱性α−アミラーゼ（大和化成株式会社製：クライスターゼＴ−５）を添加し、ミニクッカー（ノリタケエンジニアリング株式会社製）を用いて酵素処理により液化した。これらの液化物をスプレードライヤにより噴霧乾燥し、それぞれのデンプンについてのデンプン部分分解物を得た。当該酵素処理では、反応途中の試料を分取し、デキストロース当量及び分子量分散度を測定しながら実施した。
【００６１】
［微分散デンプンの調製］
原料となる天然デンプンとして、ワキシーコーンスターチ（日本食品化工株式会社製：ワキシスターチ）を用い、これに水を加え、前出のミニクッカー（ノリタケエンジニアリング株式会社製）により１０％濃度の糊化液とした。次に、超音波分散機ＧＳＤ１２００ＣＶＰ(株式会社ギンセン製)を用い、周波数２０ｋＨｚ、出力１２００Ｗの条件の下、約５０℃の液温を維持しながらデンプン糊化液に超音波照射し、粘度が約０．３Ｐａ・ｓになるまで微分散化した。得られた液状物を乾燥機内に入れて１００℃の熱風に晒して乾燥し微分散デンプンの粉末状物を得た。当該微分散デンプンを実施例１１とした。
【００６２】
粘度の測定は、日本薬局方の一般試験法における粘度測定法に準拠し、粘度分析装置（東機産業株式会社製：ＴＶＢ−１０Ｍ）を用い、５０℃における粘度（Ｐａ・ｓ）として測定した。なお、上記の粘度の選択に際し、出願人が以前に出願した超音波照射により微分散化したデンプンの乳化安定剤（特許第５０３３５５３号）等の知見を参考とした。
【００６３】
［比較のデンプン類］
デンプン部分分解物並びに微分散デンプンとの比較として、市販のコーンスターチ（比較例１）、実施例１と同じ馬鈴薯デンプン（比較例２）、ＣＯＲＮ  ＰＲＯＤＵＣＴ社製のシクロデキストリン（ＣＹＣＬＯ−Ｐ）（比較例３）、松谷化学工業株式会社製のデキストリン（パインデックス＃２）（比較例４）も用意した。これらの比較のデンプン類はいずれも粉末状である。
【００６４】
［香気成分の吸着、放散の性能評価］
〈香気成分の種類〉
下記の市販の香料、精油、フラグレンスを香気成分として使用した。
ハッカ油：大洋製薬株式会社製，食品添加物ハッカ油
ゆず油：株式会社ウテナ製
ラベンダー：株式会社クナイプジャパン製，クナイプバスエッセンス
ローズマリー：  同上
ホップ＆バレリアン：  同上
ハマメリス＆カレンデュラ：  同上
【００６５】
〈評価試料の調製〉
はじめに香気成分（親油性化合物）をほぼ無味無臭の食用油により１００倍に希釈した。次に、内容量３０ｍＬの密栓付容器を用意し、同容器内に希釈済みの香気成分２００μＬを分注した。この容器を開栓した際に被験者が感じる香気を当該香気の基準とした。当該容器の開栓時の香気が「（Ｉ）吸着放散剤投入前」の香気強度に対応する。
【００６６】
各実施例及び比較例のデンプン類（デンプン部分分解物、微分散デンプン、その他比較のためのデンプン等）について１ｇずつ秤量し、内容量３０ｍＬの密栓付容器に投入した。この容器内に、希釈済みの香気成分２００μＬを分注し、密栓後十分に振り混ぜて香気成分を含浸させた。当該容器の開栓時の香気が「（ＩＩ）吸着放散剤投入後」の香気強度に対応する。
【００６７】
前記の吸着放散剤投入後の密栓付容器に、２０℃の脱イオン水を１０ｍＬ添加し、密栓して十分に振り混ぜて容器内のデンプン類に水分を含浸させた。当該容器の開栓時の香気が「（ＩＩＩ）水分添加後」の香気強度に対応する。
【００６８】
前記の水分添加後の密栓付容器を４０℃に調温した恒温器内に移して静置した。１時間の加温後、恒温器から密栓付容器を取り出した。当該容器の開栓時の香気が「（ＩＶ）加温後」の香気強度に対応する。
【００６９】
〈官能評価法〉
３名の評価者それぞれに、まず（Ｉ）吸着放散剤投入前の香気を容器から嗅いでもらい、当該香気の強度を「３点」として記憶してもらった。いわゆる香気成分のみの状態であり、これを以降の評価の基準（対照例）とした。次に、（ＩＩ）吸着放散剤投入後の香気を容器から嗅いでもらい、前記（Ｉ）との香気強度の差異を勘案しながら採点した。そして、（ＩＩＩ）水分添加後の香気強度、（ＩＶ）加温後の香気強度についても採点した。
【００７０】
最高の３点から最低の０点までを以下の基準で採点した。実施例、比較例の個々の時点における香気強度の評価は、３名の評価者の採点結果の算術平均の数値とした。
香気成分のみの状態にほぼ匹敵する香気が感じられる例を「３点」とした。
香気成分のみの状態よりもやや弱い香気が感じられる例を「２点」とした。
香気成分のみの状態よりもかなり弱い香気が感じられる例を「１点」とした。
香気自体がほとんど感じられない例を「０点」とした。
【００７１】
［酵素処理のデンプン部分分解物の評価］
〈デンプン部分分解物の官能評価〉
天然デンプンの酵素処理により得たデンプン部分分解物（実施例１ないし３、及び比較例４）と、未処理品（比較例１ないし３）について、前記のハッカ油を用い、前述の官能評価法に従い香気成分の吸着及び放散の良否を評価した。評価結果の表１は、対照例、比較例、及び実施例について、（Ｉ）吸着放散剤投入前、（ＩＩ）吸着放散剤投入後、（ＩＩＩ）水分添加後、（ＩＶ）加温後の香気強度の評価の採点の変化を示す。
【００７２】
【表１】
2015042714.tif 000002
【００７３】
（ＩＩ）吸着放散剤投入後は、実施例も比較例も香気成分を吸着するため、採点数値は低下する。数値上、実施例は比較例と同等かそれ以上の吸着性能を備える。次に、（ＩＩＩ）水分添加後ではどれも放散しはじめた。そして（ＩＶ）加温後では、実施例は比較例よりもより多く放散している。このように、酵素処理のデンプン部分分解物は、香気成分の良好な吸着及び放散性能を備えた好適な材料である。
【００７４】
〈デンプン部分分解物の物性〉
表１の結果を踏まえ、各例の物性の相違が香気成分の吸着及び放散に与える影響を検証した。前記の測定装置、測定方法を用いて測定したデキストロース当量（ＤＥ）、分子量分散度（Ｍw／Ｍn）、数平均分子量（Ｍn）、重量平均分子量（Ｍw）の結果は表２のとおりである。比較例１及び２はデンプンそのものであるため、デキストロース当量は「０」である。また、高粘度につき各平均分子量を測定することができなかった。比較例３は構造自体が異なるため、測定対象から除外した。
【００７５】
【表２】
2015042714.tif 000003
【００７６】
実施例１，２，３は香気成分の吸着も放散も良好であった。比較例４では加温時の放散は良好ではあるものの、香気成分の吸着性能は低かった。他の比較例では放散性能が劣った。そこで、実施例の指標に着目すると、デキストロース当量では概ね０．５ないし１０の範囲であり、分子量分散度（Ｍw／Ｍn）では１００ないし１６００の範囲に収斂しているといえる。そこで、当該範囲をデンプン部分分解物に必要とする範囲値として規定した。
【００７７】
〈デンプン部分分解物の香気成分毎の評価〉
表１の結果から、実施例２のデンプン部分分解物が良好な性能であることに鑑み、同実施例２について、ハッカ油以外の香気成分についても香気強度の官能評価を実施した。結果は表３である。表中、ゆず油は実施例５、ラベンダーは実施例６、ローズマリーは実施例７、ホップ＆バレリアンは実施例８、ハマメリス＆カレンデュラは実施例９として表記した。
【００７８】
【表３】
2015042714.tif 000004
【００７９】
実施例５ないし９の評価結果のとおり、香気成分の種類が変化しても、最終的に（ＩＶ）加温後では、いずれも良好な放散を確認した。従って、天然デンプンを酵素により加水分解し、かつ、デキストロース当量及び分子量分散度の指標内にあるデンプン部分分解物は、香気成分の吸着放散剤として優れており、好適な香気吸着放散剤を得ることができた。なお、香気成分の種類毎に有機分子の構造や大きさ等の相違が存在するため、デンプン部分分解物の糖鎖内への吸着の程度に差異が生じたと推定する。
【００８０】
［超音波照射処理の微分散デンプンの評価］
〈微分散デンプンの官能評価〉
天然デンプンの超音波照射処理により得た微分散デンプン（実施例１１）と、未処理品（比較例１ないし４）について、前出のハッカ油を用い、前述の官能評価法に従い香気成分の吸着及び放散の良否を評価した。評価結果の表４は、対照例、比較例、及び実施例について、（Ｉ）吸着放散剤投入前、（ＩＩ）吸着放散剤投入後、（ＩＩＩ）水分添加後、（ＩＶ）加温後の香気強度の評価の採点の変化を示す。
【００８１】
【表４】
2015042714.tif 000005
【００８２】
実施例１１の微分散デンプンも、前述の酵素処理のデンプン部分分解物と同様の香気強度の変化挙動を示した。既製品である比較例との対比からも香気成分の吸着、放散において良好な特性を示した。従って、超音波照射処理により製造される微分散デンプンは香気成分の良好な吸着及び放散性能を備えた好適な材料である。
【００８３】
〈微分散デンプンの香気成分毎の評価〉
表４の結果から、実施例１１の微分散デンプンが良好な性能であることに鑑み、同実施例１１について、ハッカ油以外の香気成分についても香気強度の官能評価を実施した。結果は表５である。表中、ゆず油は実施例１５、ラベンダーは実施例１６、ローズマリーは実施例１７、ホップ＆バレリアンは実施例１８、ハマメリス＆カレンデュラは実施例１９として表記した。
【００８４】
【表５】
2015042714.tif 000006
【００８５】
実施例１５ないし１９の評価結果のとおり、香気成分の種類が変化しても、最終的に（ＩＶ）加温後では、概ね良好な放散を確認した。従って、天然デンプンに超音波を照射してなる微分散デンプンは、香気成分の吸着放散剤として優れており、好適な香気吸着放散剤を得ることができた。ただし、香気成分の種類毎に有機分子の構造や大きさ等の相違が存在するため、微分散デンプンの糖鎖内への吸着、放散の程度に差異が生じたと推定する。
【００８６】
［まとめ］
以上の知見のとおり、天然デンプンを酵素処理によって低分子量化したデンプン部分分解物、及び天然デンプンを超音波照射処理によって低分子量化した微分散デンプンのいずれについても、既存の香気成分の良好な吸着及び放散の性能を有していることが明らかとなった。また、多様な香気成分の吸着、放散にも対応可能であり、極めて有用性は高い。特に、特別な化学的な処理を行っていないことから、成分の安定性にも優れ、事後的に付着する香気成分に与える影響は非常に小さいといえる。
【産業上の利用可能性】
【００８７】
本発明の香気吸着放散剤は、香気成分の良好な吸着及び放散の性能を有することから、シクロデキストリンや従前の製法により調製したデキストリンの代替となりうる。さらに、塗布膜やフィルム状、適度な粒径の顆粒等の所望の形状に加工することも容易である。そこで、化粧品、たばこ、入浴剤、整髪料等の香気成分の保持剤としての利用が期待される。加えて、香気に由来する快適な感覚から、心身のリラックス効果やストレスの低減効果を付与する各種製品に利用できる。